(57)【要約】【課題】スライド式蓋の容器本体への組み付け作業性がよく、フラットサーフェース化を可能にし、見栄えのよいものにする。【解決手段】蓋部材を、容器本体１０にスライド可能に取り付けられるスライダ３０と、スライダ３０に収納可能に取り付けられた可撓性シャッタ５０とにより構成する。【選択図】図８
2011001079.tif 000002
【特許請求の範囲】
【請求項１】
容器本体に形成された開口部をスライド移動によって開閉する容器用スライド式蓋構造であって、
前記容器本体に前記開口部を開閉する方向にスライド可能に設けられ前記開口部を開閉するスライダと、蛇腹式の可撓性シャッタとを有し、
前記スライダは前記可撓性シャッタを繰り出し可能に収容するシャッタ収容部を有し、
前記可撓性シャッタは、一端部を前記容器本体に固定され、前記スライダが前記開口部を開く方向の移動することに伴って他端部側を前記シャッタ収容部内に収容され、前記スライダが前記開口部を閉じ方向に移動することに伴って前記シャッタ収容部より前記スライダの外表面上に繰り出されることを特徴とする容器用スライド式蓋構造。
【請求項２】
前記可撓性シャッタは、前記開口部のスライダ開き方向側の開口縁部近傍位置にて前記容器本体に固定され、
前記シャッタ収容部に対する前記可撓性シャッタの出入口が前記スライダのスライダ閉じ方向側の先端近傍に設けられ、
前記スライダが前記開口部を閉じる位置にある状態では前記可撓性シャッタが前記スライダの外表面の全体に亘って延在することを特徴とする請求項１に記載の容器用スライド式蓋構造。
【請求項３】
前記シャッタ収容部は、前記スライダの外表面側に開口した前記出入口より湾曲して前記スライダの裏面側に至る横転Ｕ字形の通路形状をなしていることを特徴とする請求項２に記載の容器用スライド式蓋構造。
【請求項４】
前記スライダの外表面上に繰り出された前記可撓性シャッタの外表面と前記開口部の周縁に延在する容器外表面とが同一高さ面になっていることを特徴とする請求項１から３の何れか一項に記載の容器用スライド式蓋構造。
【発明の詳細な説明】
【技術分野】
【０００１】
本発明は、容器用スライド式蓋構造に関し、特に、自動車の車室内に設けられる小物入れ等の容器の物出入れ用の開口部を開閉するスライド式の蓋構造に関するものである。
【背景技術】
【０００２】
自動車のコンソール部等に設けられる小物入れとして、物出入れ用の開口部の開閉を、蛇腹構造による折り曲がり可能な可撓性の蓋部材によってスライド式に行うように構成されたものが知られている（例えば、特許文献１、２、３）。
【先行技術文献】
【特許文献】
【０００３】
【特許文献１】特開平８−１９２６８５号公報
【特許文献２】特開平９−２０１７６号公報
【特許文献３】特開２００８−２７９８９１号公報
【発明の概要】
【発明が解決しようとする課題】
【０００４】
従来のスライド式蓋構造では、開口部を覆うために必要な長さを備えた蛇腹構造の蓋部材の両側縁部を、容器本体に形成されたガイド溝に嵌め込まなくてはならず、蓋部材の組み付け作業性が悪い。蛇腹構造の蓋部材は、構造上、積載可能荷重が低い。このため、開口部を閉じた状態にある蓋部材上に重い物が載せられたり、膝付かれたりする等として、蓋部材に大きい荷重が作用すると、蓋部材が、脱落したり、破損する虞がある。
【０００５】
また、スライド式の蓋構造は、フラッパ式のもと異なり、開口部を開いた蓋部材を、開口部の周縁に延在する化粧パネルの裏面側（下側）に潜り込ませるように格納するため、開口部を閉じた状態にある蓋部材の外表面（上面）と化粧パネルの上面とに、少なからず化粧パネルの板厚分の段差ができる。このため、蓋部材の上面と化粧パネルの上面とを同一高さ面にすることができず、フラットサーフェース化を実現できない。
【０００６】
本発明が解決しようとする課題は、スライド式蓋の容器本体への組み付け作業性がよく、フラットサーフェース化を可能にし、見栄えのよいものにすることである。
【課題を解決するための手段】
【０００７】
本発明による容器用スライド式蓋構造は、容器本体に形成された開口部をスライド移動によって開閉する容器用スライド式蓋構造であって、前記容器本体に前記開口部を開閉する方向にスライド可能に設けられ前記開口部を開閉するスライダと、蛇腹式の可撓性シャッタとを有し、前記スライダは前記可撓性シャッタを繰り出し可能に収容するシャッタ収容部を有し、前記可撓性シャッタは、一端部を前記容器本体に固定され、前記スライダが前記開口部を開く方向の移動することに伴って他端部側を前記シャッタ収容部内に収容され、前記スライダが前記開口部を閉じ方向に移動することに伴って前記シャッタ収容部より前記スライダの外表面上に繰り出される。
【０００８】
本発明による容器用スライド式蓋構造は、好ましくは、前記可撓性シャッタは、前記開口部のスライダ開き方向側の開口縁部近傍位置にて前記容器本体に固定され、前記シャッタ収容部に対する前記可撓性シャッタの出入口が前記スライダのスライダ閉じ方向側の先端近傍に設けられ、前記スライダが前記開口部を閉じる位置にある状態では前記可撓性シャッタが前記スライダの外表面の全体に亘って延在する。
【０００９】
本発明による容器用スライド式蓋構造は、好ましくは、前記シャッタ収容部は、前記スライダの外表面側に開口した前記出入口より湾曲して前記スライダの裏面側に至る横転Ｕ字形の通路形状をなしている。
【００１０】
本発明による容器用スライド式蓋構造は、好ましくは、前記スライダの外表面上に繰り出された前記可撓性シャッタの外表面と前記開口部の周縁に延在する容器外表面とが同一高さ面になっている。
【発明の効果】
【００１１】
本発明による容器用スライド式蓋構造によれば、蓋部材が、容器本体にスライド可能に取り付けられるスライダと、スライダに収納可能に取り付けられた可撓性シャッタとにより構成されているから、可撓性シャッタを取り付けられたスライダを一つの組立品として取り扱って容器本体に取り付けることができる。
【００１２】
これにより、可撓性シャッタを容器本体に取り付ける作業がなくなり、可撓性シャッタの組み付けは、容器本体とは別に、スライダに組み付ければよく、可撓性シャッタを含む蓋部材がユニット化されて容器本体への組み付けが容易になる。
【００１３】
また、可撓性シャッタがスライダに収納可能に取り付けられるから、スライダの外表面上に繰り出された可撓性シャッタの外表面と開口部の周縁に延在する容器外表面とを同一高さ面に設定することが可能になり、フラットサーフェース化を実現できる。
【図面の簡単な説明】
【００１４】
【図１】本発明によるを示す全体斜視図。
【図２】本実施例による容器用スライド式蓋構造を適用された小物入れの分解斜視図。
【図３】本実施例による容器用スライド式蓋構造に用いられるスライダの分解斜視図。
【図４】本実施例による容器用スライド式蓋構造を適用された小物入れの蓋閉じ状態の斜視図。
【図５】本実施例による容器用スライド式蓋構造を適用された小物入れの蓋開き状態の斜視図。
【図６】本実施例による容器用スライド式蓋構造を適用された小物入れの蓋閉じ状態の平面図。
【図７】本実施例による容器用スライド式蓋構造を適用された小物入れの蓋閉じ状態の側面図。
【図８】図６の線Ａ−Ａに沿った断面図である。
【図９】蓋開き状態のＡ−Ａ断面相当の断面図。
【図１０】図７の線Ｂ−Ｂに沿った断面図である。
【発明を実施するための形態】
【００１５】
本発明による容器用スライド式蓋構造を適用された小物入れの一つの実施例を、図１〜図１０を参照して説明する。
【００１６】
小物入れの主要部をなす容器本体１０は上方開口の箱形状をしている。容器本体１０は、樹脂成形品であり、内部仕切壁１２を有し、内部仕切壁１２より前方（図８、図９で見て左側）に物品収納部１４を画定している。
【００１７】
容器本体１０の上部には上部化粧パネル２０が取り付けられている。上部化粧パネル２０には、平面視で物品収納部１４と整合する開口部２２が形成されている。開口部２２は物品収納部１４の真上にあって物品収納部１４の物品出し入れ用の開口部をなしている。
【００１８】
なお、上部化粧パネル２０は容器本体１０に一体的に取り付けられているから、上部化粧パネル２０の開口部２２は、容器本体１０に形成された開口部と云うことができる。
【００１９】
容器本体１０の左右両側の上縁部にはスライダガイド溝１６が互いに平行に形成されている。スライダガイド溝１６にはスライダ３０が当該スライダ３０の左右両側に形成された突条部３２をもって摺動可能に係合している。
【００２０】
スライダ３０は、スライダガイド溝１６に案内されて開口部２２を開閉する方向にスライド可能に取り付けられており、図４、図８に示されているように、スライダ３０の前端部分が容器本体１０の前壁部１１に当接することにより決まる全閉位置と、図５、図９に示されているように、スライダ３０の後端部分が上部化粧パネル２０より与えられた後部壁２１に当接することにより決まる全開位置との間を往復移動可能である。
【００２１】
ここで、スライダ３０の全開位置への移動方向、つまり、図６〜図９で見て右側への移動方向をスライダ開き方向、スライダ３０の全閉位置への移動方向、つまり、図６〜図９で見て左側への移動方向をスライダ閉じ方向と定義する。
【００２２】
スライダ３０は、図３に示されているように、左右分割の二つの半体３０Ａ、３０Ｂと、前側部材３０Ｃとの３個の樹脂成形品による組立剛体品として構成されている。半体３０Ａ、３０Ｂは、スライダ上面（外表面）３４と、裏面側の下部シャッタ収容部３６とを構成している。前側部材３０Ｃは、半体３０Ａ、３０Ｂと共働して、スライダ上面３４の側に開口したシャッタ出入口３８と、シャッタ出入口３８と、下部シャッタ収容部３６とを連通接続する半円状の側部シャッタ収容部４０とを構成している。前側部材３０Ｃの上側には、手によるスライダ開閉操作部４２が形成されている。
【００２３】
このようにして、シャッタ出入口３８はスライダ３０のスライダ閉じ方向側の先端近傍に配置される。シャッタ収容部４５は、下部シャッタ収容部３６と側部シャッタ収容部４０とで構成され、シャッタ出入口３８より下方に湾曲してスライダ３０の裏面側に至る横転Ｕ字形の通路形状をなしている
【００２４】
スライダ３０の左右両側にはスライダ上面３４からシャッタ収容部４５に至るシャッタカイド溝４４が互いに平行に形成されている。シャッタカイド溝４４には可撓性シャッタ５０の左右両側部分が移動可能に係合している。
【００２５】
可撓性シャッタ５０は、図２に示されているように、複数個の棒状のシャッタエレメント５２の組立体により構成されている。シャッタエレメント５２は、合成樹脂製で、ヒンジピン５４とピン係合孔５６とを一体成形され、互い隣り合うもの同士で、ヒンジピン５４とピン係合孔５６との嵌合によってヒンジ接続されている。可撓性シャッタ５０は、隣接するシャッタエレメント５２同士の連結部のヒンジ動作によって全体として湾曲可能になっている。
【００２６】
なお、シャッタエレメント５２の左右両端には係合突起５８が一体成形されており、可撓性シャッタ５０は各シャッタエレメント５２の係合突起５８をもってシャッタカイド溝４４に移動可能に係合している。
【００２７】
開口部２２のスライダ開き方向側、つまり、図６〜図９で見て右側の開口縁２２Ａ（図２、図８参照)の近傍位置には、ねじ６２によって容器本体１０に固定されたステープル形状の止め具６０が設けられている。止め具６０には係合孔６４（図２参照)が形成されている。止め具６０の係合孔６４には最端部のシャッタエレメント５２の係合突起５８が係合している。これにより、可撓性シャッタ５０は、一端部を開口部２２のスライダ開き方側の開口縁部近傍位置にて容器本体１０に固定されている。なお、止め具６０には係合孔６６が形成されており、係合孔６６に上部化粧パネル２０の係合突起２４が係合している。これにより、上部化粧パネル２０の開口部２２と止め具６０との位置が一義的に決まる。
【００２８】
上述の如く一端部を容器本体１０に固定された可撓性シャッタ５０は、シャッタエレメント５２の個数設定によって、スライダ上面３４の全体を覆う長さより長く、先端側が常にシャッタ出入口３８よりシャッタ収容部４５に進入する長さに設定されている。
【００２９】
図１、図４、図６、図８に示されているように、スライダ３０が開口部２２を閉じる位置にある状態では、可撓性シャッタ５０は、スライダ上面（外表面）３４上にあってスライダ上面３４の全体に亘って延在し、スライダ上面３４の全体を覆っている。
【００３０】
これにより、蓋閉じ状態では、開口部２２には可撓性シャッタ５０が露呈し（図１参照)、蛇腹によるスライド式の、換言すると、鎧戸式の蓋構造のように見える。
【００３１】
開口部２２を開ける場合は、指先で、スライダ３０のスライダ開閉操作部４２を掴み、スライダ３０をスライダ開き方向へ移動させる。すると、開口部２２が開けられると共に、スライダ３０のスライダ開き方向の移動に伴ってスライダ上面３４上の可撓性シャッタ５０がシャッタ出入口３８より湾曲しながらシャッタ収容部４５内に収容される。そして、図５、図９に示されているように、スライダ３０が全開位置に位置する。
【００３２】
開口部２２を閉じる場合は、指先で、スライダ３０のスライダ開閉操作部４２を掴み、スライダ３０をスライダ閉じ方向へ移動させる。すると、開口部２２が閉じられると共に、スライダ３０のスライダ閉じ方向の移動に伴ってシャッタ収容部４５に収容された可撓性シャッタ５０がシャッタ出入口３８よりスライダ上面３４上に繰り出される。そして、図１、図４、図６、図８に示されているように、スライダ３０が全閉位置に位置すると、スライダ上面３４の全体が可撓性シャッタ５０によって覆われて開口部２２の全体が可撓性シャッタ５０によって閉じられたようになる。
【００３３】
上述したように、蓋部材が、容器本体１０にスライド可能に取り付けられるスライダ３０と、スライダ３０に収納可能に取り付けられた可撓性シャッタ５０とにより構成されているから、可撓性シャッタ５０を取り付けられたスライダ３０を一つの組立品として取り扱って容器本体１０に取り付けることができる。
【００３４】
これにより、可撓性シャッタ５０を容器本体１０に取り付ける作業がなくなり、可撓性シャッタ５０の組み付けは、容器本体１０とは別に、スライダ３０に組み付ければよく、可撓性シャッタ５０を含む蓋部材がユニット化されて容器本体への組み付けが容易になる。
【００３５】
可撓性シャッタ５０がスライダ３０に収納可能に取り付けられるから、可撓性シャッタ５０を上部化粧パネル２０の裏面側（下側）に潜り込ませるように格納する必要がなくなり、図１、図７、図８、図１０に示されているように、スライダ上面３４上に繰り出された可撓性シャッタ５０の外表面５０Ａと開口部２２の周縁に延在する容器外表面、つまり、上部化粧パネル２０の上面２０Ａとを同一高さ面に設定することが可能になる。これにより、小物入れ部分のフラットサーフェース化を実現でき、見栄えのよいものなる。
【００３６】
また、可撓性シャッタ５０はスライダ３０より支持されるので、スライダ３０の機械的強度によって可撓性シャッタ５０の見かけ上の機械的強度が上がり、開口部２２に露呈している可撓性シャッタ５０上の積載可能荷重が高くなる。
【００３７】
これにより、開口部２２を閉じた状態にある可撓性シャッタ５０上に重い物が載せられたり、膝付かれたりしても、可撓性シャッタ５０が、脱落したり、破損することがない。
【００３８】
可撓性シャッタ５０は、複数個のシャッタエレメント５２による組立式のものに限られることはなく、可撓性シート部材にシャッタエレメント５２と同等の部材を接合した一体成形タイプのものであってもよい。
【００３９】
なお、本発明による容器用スライド式蓋構造は、上述の実施例に限られるものでなく、本発明の主旨を逸脱しない範囲内で適宜変更可能である。
【符号の説明】
【００４０】
１０  容器本体
１４  物品収納部
２０  上部化粧パネル
２２  開口部
３０  スライダ
３２  スライダ上面
３８  シャッタ出入口
４５  シャッタ収容部
５０  可撓性シャッタ
５２  シャッタエレメント
６０  止め具
【図１】
2011001079.tif 000003
【図２】
2011001079.tif 000004
【図３】
2011001079.tif 000005
【図４】
2011001079.tif 000006
【図５】
2011001079.tif 000007
【図６】
2011001079.tif 000008
【図７】
2011001079.tif 000009
【図８】
2011001079.tif 000010
【図９】
2011001079.tif 000011
【図１０】
2011001079.tif 000012